(57)【要約】【課題】各扁平管における冷媒の湿り度の差を小さくして、液冷媒の存在に起因する冷媒の偏流を抑える。【解決手段】各扁平管（31）に形成された複数の流体通路（34）は、扁平管（31）の風上寄りに位置する風上側通路（35）と、風下寄りに位置する風下側通路（36）とに区分される。第１ヘッダ集合管（60）から風下側通路（36）を通過して凝縮された液冷媒は、第２ヘッダ集合管（70）の第１接続用部分空間（76）、第２接続用部分空間（77）、及び第３接続用部分空間（78）を通過して第１熱交換部（51）、第２熱交換部（52）、及び第３熱交換部（53）の風上側通路（35）にそれぞれ分流される。【選択図】図３
2014137172.tif 000002
【特許請求の範囲】
【請求項１】
複数の扁平管（31）と、各扁平管（31）の一端が接続された第１ヘッダ集合管（60）と、各扁平管（31）の他端が接続された第２ヘッダ集合管（70）とを備え、該各扁平管（31）には、複数の流体通路（34）が該扁平管（31）の幅方向に並んで形成されており、該扁平管（31）の該流体通路（34）を流れる流体が、隣り合った該扁平管（31）の間を該扁平管（31）の幅方向へ流れる空気と熱交換する熱交換器であって、
前記各扁平管（31）に形成された複数の前記流体通路（34）は、該扁平管（31）の幅方向一端寄りに位置する一部の流体通路（34）が液側通路（35）を、残りの流体通路（34）がガス側通路（36）をそれぞれ構成し、
前記第１ヘッダ集合管（60）の内部空間は、前記扁平管（31）の前記液側通路（35）だけに連通する液側空間（65）と、前記扁平管（31）の前記ガス側通路（36）だけに連通するガス側空間（69）とに仕切られ、
前記第２ヘッダ集合管（70）の内部空間は、前記扁平管（31）の前記液側通路（35）と前記ガス側通路（36）の両方に連通する接続用空間（75）となっており、
前記第１ヘッダ集合管（60）及び前記第２ヘッダ集合管（70）の軸方向に並び、それぞれが複数の前記扁平管（31）を有する複数の熱交換部（51〜53）に区分され、
前記第１ヘッダ集合管（60）の前記液側空間（65）は、それぞれが対応する１つの前記熱交換部（51〜53）の扁平管（31）の液側通路（35）だけに連通する該熱交換部（51〜53）と同数の液側部分空間（66〜68）に仕切られ、
前記第１ヘッダ集合管（60）の前記ガス側空間（69）は、全ての前記扁平管（31）の前記ガス側通路（36）に連通していることを特徴とする熱交換器。
【請求項２】
請求項１において、
前記第２ヘッダ集合管（70）の接続用空間（75）は、それぞれが対応する１つの前記熱交換部（51〜53）の扁平管（31）の少なくとも液側通路（35）に連通する前記熱交換部（51〜53）と同数の接続用部分空間（76〜78）に仕切られていることを特徴とする熱交換器。
【請求項３】
請求項１又は２において、
前記第２ヘッダ集合管（70）の接続用空間（75）は、それぞれが対応する１つの前記熱交換部（51〜53）の扁平管（31）の液側通路（35）及びガス側通路（36）だけに連通する前記熱交換部（51〜53）と同数の接続用部分空間（76〜78）に仕切られていることを特徴とする熱交換器。
【請求項４】
請求項１乃至３のうち何れか１つに記載の熱交換器（23）が設けられて冷凍サイクルを行う冷媒回路（20）を備え、該熱交換器（23）が蒸発器として機能する運転と、該熱交換器（23）が凝縮器として機能する運転とを選択的に行う冷凍装置であって、
前記液側通路（35）は、前記扁平管（31）の風上側に設けられる風上側通路（35）を構成する一方、前記ガス側通路（36）は、該扁平管（31）の風下側に設けられる風下側通路（36）を構成し、
蒸発器として機能する前記熱交換器（23）では、冷媒が前記風上側通路（35）を通過後に前記風下側通路（36）を通過し、
凝縮器として機能する前記熱交換器（23）では、冷媒が前記風下側通路（36）を通過後に前記風上側通路（35）を通過することを特徴とする冷凍装置。
【発明の詳細な説明】
【技術分野】
【０００１】
本発明は、扁平管内を流れる流体を空気と熱交換させる熱交換器と、その熱交換器を備えた冷凍装置に関するものである。
【背景技術】
【０００２】
従来より、多数の扁平管と、各扁平管に接続するヘッダ集合管とを備え、扁平管内を流れる冷媒を、扁平管の幅方向へ流れる空気と熱交換させる熱交換器が知られている（例えば、特許文献１参照）。
【０００３】
特許文献１に開示された熱交換器では、各扁平管に形成された複数の流体通路が、液側通路とガス側通路に区分されている。熱交換器が蒸発器として機能する場合には、液冷媒が液側通路を通過後にガス側通路を通過する。そして、各扁平管の液側通路に流入した冷媒は、液側通路を通過する間に蒸発して気液二相状態の冷媒となり、その後にガス側通路に流入してさらに蒸発される。
【先行技術文献】
【特許文献】
【０００４】
【特許文献１】特開２００４−１２５３５２号公報
【発明の概要】
【発明が解決しようとする課題】
【０００５】
ところで、従来の熱交換器では、蒸発器として機能する場合、液冷媒がヘッダ集合管に流入するので、ヘッダ集合管の下寄りの部分ほど液冷媒の割合が多くなる。そのため、ヘッダ集合管の上部と下部とにおける冷媒の湿り度の差が大きくなり、液冷媒の存在によって液側通路において冷媒の偏流が生じてしまうという問題があった。
【０００６】
本発明は、かかる点に鑑みてなされたものであり、その目的は、各扁平管における冷媒の湿り度の差を小さくして、液冷媒の存在に起因する冷媒の偏流を抑えることにある。
【課題を解決するための手段】
【０００７】
本発明は、複数の扁平管（31）と、各扁平管（31）の一端が接続された第１ヘッダ集合管（60）と、各扁平管（31）の他端が接続された第２ヘッダ集合管（70）とを備え、該各扁平管（31）には、複数の流体通路（34）が該扁平管（31）の幅方向に並んで形成されており、該扁平管（31）の該流体通路（34）を流れる流体が、隣り合った該扁平管（31）の間を該扁平管（31）の幅方向へ流れる空気と熱交換する熱交換器を対象とし、次のような解決手段を講じた。
【０００８】
すなわち、第１の発明は、前記各扁平管（31）に形成された複数の前記流体通路（34）は、該扁平管（31）の幅方向一端寄りに位置する一部の流体通路（34）が液側通路（35）を、残りの流体通路（34）がガス側通路（36）をそれぞれ構成し、
前記第１ヘッダ集合管（60）の内部空間は、前記扁平管（31）の前記液側通路（35）だけに連通する液側空間（65）と、前記扁平管（31）の前記ガス側通路（36）だけに連通するガス側空間（69）とに仕切られ、
前記第２ヘッダ集合管（70）の内部空間は、前記扁平管（31）の前記液側通路（35）と前記ガス側通路（36）の両方に連通する接続用空間（75）となっており、
前記第１ヘッダ集合管（60）及び前記第２ヘッダ集合管（70）の軸方向に並び、それぞれが複数の前記扁平管（31）を有する複数の熱交換部（51〜53）に区分され、
前記第１ヘッダ集合管（60）の前記液側空間（65）は、それぞれが対応する１つの前記熱交換部（51〜53）の扁平管（31）の液側通路（35）だけに連通する該熱交換部（51〜53）と同数の液側部分空間（66〜68）に仕切られ、
前記第１ヘッダ集合管（60）の前記ガス側空間（69）は、全ての前記扁平管（31）の前記ガス側通路（36）に連通していることを特徴とするものである。
【０００９】
第１の発明では、各扁平管（31）に形成された複数の流体通路（34）は、扁平管（31）の幅方向一端寄りに位置する液側通路（35）と、幅方向の他端寄りに位置するガス側通路（36）とに区分される。複数の扁平管（31）は、第１ヘッダ集合管（60）及び第２ヘッダ集合管（70）の軸方向に並ぶ複数の熱交換部（51〜53）に区分される。そして、蒸発器として機能する熱交換器では、液冷媒が第１ヘッダ集合管（60）の液側部分空間（66〜68）にそれぞれ分流され、各熱交換部（51〜53）の液側通路（35）を通過する際に蒸発する。
【００１０】
このような構成とすれば、各扁平管（31）における冷媒の湿り度の差を小さくして、液冷媒の存在に起因する冷媒の偏流を抑えることができる。具体的に、熱交換器が蒸発器として機能する場合、液冷媒が第１ヘッダ集合管（60）に流入して、第１ヘッダ集合管（60）の下寄りの部分ほど液冷媒の割合が多くなり、上寄りの部分ほどガス冷媒の割合が多くなる。そのため、第１ヘッダ集合管（60）の上部と下部とにおける冷媒の湿り度の差が大きくなり、液冷媒の存在によって液側通路（35）において冷媒の偏流が生じてしまうという問題がある。
【００１１】
これに対し、本発明では、第１ヘッダ集合管（60）の液側空間（65）が複数の液側部分空間（66〜68）に仕切られているので、１つの液側部分空間（66〜68）の高さが第１ヘッダ集合管（60）の高さよりも低くなっている。このため、各熱交換部（51〜53）の上部と下部における冷媒の湿り度の差がそれほど大きくならず、各熱交換部（51〜53）の液側通路（35）へ流入する冷媒の質量流量のばらつきが抑えられる。
【００１２】
第２の発明は、第１の発明において、
前記第２ヘッダ集合管（70）の接続用空間（75）は、それぞれが対応する１つの前記熱交換部（51〜53）の扁平管（31）の少なくとも液側通路（35）に連通する前記熱交換部（51〜53）と同数の接続用部分空間（76〜78）に仕切られていることを特徴とするものである。
【００１３】
第３の発明は、第１又は第２の発明において、
前記第２ヘッダ集合管（70）の接続用空間（75）は、それぞれが対応する１つの前記熱交換部（51〜53）の扁平管（31）の液側通路（35）及びガス側通路（36）だけに連通する前記熱交換部（51〜53）と同数の接続用部分空間（76〜78）に仕切られていることを特徴とするものである。
【００１４】
第２又は第３の発明では、熱交換器が凝縮器として機能する場合、第１ヘッダ集合管（60）からガス側通路（36）を通過して凝縮された液冷媒は、第２ヘッダ集合管（70）の接続用部分空間（76〜78）を通過して各熱交換部（51〜53）の液側通路（35）にそれぞれ分流される。
【００１５】
このような構成とすれば、各扁平管（31）における冷媒の湿り度の差を小さくして、液冷媒の存在に起因する冷媒の偏流を抑えることができる。具体的に、ガス側通路（36）を通過して凝縮された気液二相状態の冷媒が第２ヘッダ集合管（70）に流入するので、第２ヘッダ集合管（70）の下寄りの部分ほど液冷媒の割合が多くなり、上寄りの部分ほどガス冷媒の割合が多くなる。そのため、第２ヘッダ集合管（70）の上部と下部とにおける冷媒の湿り度の差が大きくなり、液冷媒の存在によって液側通路（35）において冷媒の偏流が生じ、凝縮能力が著しく低下してしまうという問題がある。
【００１６】
これに対し、本発明では、第２ヘッダ集合管（70）の接続用空間（75）が複数の接続用部分空間（76〜78）に仕切られているので、１つの接続用部分空間（76〜78）の高さが第１ヘッダ集合管（60）の高さよりも低くなっている。このため、各熱交換部（51〜53）の上部と下部における冷媒の湿り度の差がそれほど大きくならず、各熱交換部（51〜53）の液側通路（35）へ流入する冷媒の質量流量のばらつきが抑えられる。
【００１７】
第４の発明は、第１乃至第３の発明のうち何れか１つに記載の熱交換器（23）が設けられて冷凍サイクルを行う冷媒回路（20）を備え、該熱交換器（23）が蒸発器として機能する運転と、該熱交換器（23）が凝縮器として機能する運転とを選択的に行う冷凍装置を対象とし、次のような解決手段を講じた。
【００１８】
すなわち、第４の発明は、前記液側通路（35）は、前記扁平管（31）の風上側に設けられる風上側通路（35）を構成する一方、前記ガス側通路（36）は、該扁平管（31）の風下側に設けられる風下側通路（36）を構成し、
蒸発器として機能する前記熱交換器（23）では、冷媒が前記風上側通路（35）を通過後に前記風下側通路（36）を通過し、
凝縮器として機能する前記熱交換器（23）では、冷媒が前記風下側通路（36）を通過後に前記風上側通路（35）を通過することを特徴とするものである。
【００１９】
第４の発明では、冷凍装置の冷媒回路（20）に、第１の発明の熱交換器（23）が設けられる。冷凍装置は、熱交換器（23）が蒸発器として機能する運転と、熱交換器（23）が凝縮器として機能する運転とを選択的に行う。液側通路（35）は、扁平管（31）の風上側に設けられて風上側通路（35）を構成している。ガス側通路（36）は、扁平管（31）の風下側に設けられて風下側通路（36）を構成している。
【００２０】
そして、熱交換器（23）が蒸発器として機能する場合、冷媒は、風上側通路（35）を通過後に風下側通路（36）を通過し、その過程で空気から吸熱して蒸発する。このため、風下側通路（36）を流れる冷媒の温度が、風上側通路（35）を流れる冷媒の温度よりも若干低くなる。また、風上側通路（35）を流れる冷媒との熱交換によって温度が低下した空気が、風下側通路（36）を流れる冷媒（すなわち、風上側通路（35）を流れる冷媒よりも温度が若干低い冷媒）と熱交換するので、冷媒が風上側通路（35）から風下側通路（36）へ流れる場合の方が、冷媒が風上側通路（35）から風下側通路（36）へ流れる場合に比べて、冷媒と空気の温度差の変化が抑えられる。
【００２１】
一方、熱交換器（23）が凝縮器として機能する場合、冷媒は、風下側通路（36）を通過後に風上側通路（35）を通過し、その過程で空気へ放熱して凝縮する。このため、風上側通路（35）を流れる冷媒の温度が、風下側通路（36）を流れる冷媒の温度よりも若干低くなる。つまり、風下側通路（36）を流れる冷媒の温度が、風上側通路（35）を流れる冷媒の温度よりも若干高くなる。また、風上側通路（35）を流れる冷媒との熱交換によって温度が上昇した空気が、風下側通路（36）を流れる冷媒（すなわち、風上側通路（35）を流れる冷媒よりも温度が若干高い冷媒）と熱交換するので、冷媒が風下側通路（36）から風上側通路（35）へ流れる場合の方が、冷媒が風下側通路（36）から風上側通路（35）へ流れる場合に比べて、冷媒と空気の温度差の変化が抑えられる。
【００２２】
このように、熱交換器（23）が蒸発器として機能する場合と凝縮器として機能する場合の両方において、熱交換器（23）における冷媒と空気の温度差の変化を抑えることができる。従って、熱交換器（23）を流れる冷媒と空気の間で授受される熱量の増大を図ることができ、熱交換器（23）の性能を充分に発揮させることが可能となる。
【発明の効果】
【００２３】
本発明によれば、第１ヘッダ集合管（60）の液側空間（65）が複数の液側部分空間（66〜68）に仕切られているので、１つの液側部分空間（66〜68）の高さが第１ヘッダ集合管（60）の高さよりも低くなっている。このため、各熱交換部（51〜53）の上部と下部における冷媒の湿り度の差がそれほど大きくならず、各熱交換部（51〜53）の液側通路（35）へ流入する冷媒の質量流量のばらつきが抑えられる。
【図面の簡単な説明】
【００２４】
【図１】図１は、本実施形態の空気調和機の概略構成を示す冷媒回路図である。
【図２】図２は、本実施形態の室外熱交換器の概略構成を示す正面図である。
【図３】図３は、室外熱交換器の正面を示す一部断面図である。
【図４】図４は、図３のＡ−Ａ断面を示す室外熱交換器の断面図である。
【図５】図５は、室外熱交換器の上面図である。
【図６】図６は、図３のＢ−Ｂ断面を示す室外熱交換器の断面図である。
【図７】図７は、図３のＣ−Ｃ断面を示す室外熱交換器の断面図である。
【図８】図８は、図３のＤ−Ｄ断面を拡大して示す室外熱交換器の断面図である。
【図９】図９は、図３のＥ−Ｅ断面を拡大して示す室外熱交換器の断面図である。
【図１０】図１０は、図６に示す室外熱交換器の断面の一部を拡大して示す断面図である。
【図１１】図１１は、その他の実施形態の室外熱交換器の図７相当図である。
【図１２】図１２は、その他の実施形態の室外熱交換器の図７相当図である。
【発明を実施するための形態】
【００２５】
以下、本発明の実施形態を図面に基づいて説明する。なお、以下の好ましい実施形態の説明は、本質的に例示に過ぎず、本発明、その適用物或いはその用途を制限することを意図するものではない。
【００２６】
−空気調和機−
まず、本実施形態に係る冷凍装置としての空気調和機（10）について、図１を参照しながら説明する。
【００２７】
〈空気調和機の構成〉
空気調和機（10）は、室外ユニット（11）及び室内ユニット（12）を備えている。室外ユニット（11）と室内ユニット（12）は、液側連絡配管（13）及びガス側連絡配管（14）を介して互いに接続されている。空気調和機（10）では、室外ユニット（11）、室内ユニット（12）、液側連絡配管（13）、及びガス側連絡配管（14）によって、冷媒回路（20）が形成されている。
【００２８】
冷媒回路（20）には、圧縮機（21）と、四方切換弁（22）と、室外熱交換器（23）と、膨張弁（24）と、室内熱交換器（25）とが設けられている。圧縮機（21）、四方切換弁（22）、室外熱交換器（23）、及び膨張弁（24）は、室外ユニット（11）に収容されている。室外ユニット（11）には、室外熱交換器（23）へ室外空気を供給するための室外ファン（15）が設けられている。一方、室内熱交換器（25）は、室内ユニット（12）に収容されている。室内ユニット（12）には、室内熱交換器（25）へ室内空気を供給するための室内ファン（16）が設けられている。
【００２９】
冷媒回路（20）は、冷媒が充填された閉回路である。冷媒回路（20）において、圧縮機（21）は、その吐出側が四方切換弁（22）の第１のポートに、その吸入側が四方切換弁（22）の第２のポートに、それぞれ接続されている。また、冷媒回路（20）では、四方切換弁（22）の第３のポートから第４のポートへ向かって順に、室外熱交換器（23）と、膨張弁（24）と、室内熱交換器（25）とが配置されている。
【００３０】
圧縮機（21）は、スクロール型又はロータリ型の全密閉型圧縮機である。圧縮機（21）は、その回転速度が可変となっている。圧縮機（21）の回転速度を変更すると、圧縮機（21）の運転容量が変化する。四方切換弁（22）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる。膨張弁（24）は、いわゆる電子膨張弁である。
【００３１】
室外熱交換器（23）は、室外空気を冷媒と熱交換させる。室外熱交換器（23）については後述する。一方、室内熱交換器（25）は、室内空気を冷媒と熱交換させる。室内熱交換器（25）は、円管である伝熱管を備えたいわゆるクロスフィン型のフィン・アンド・チューブ熱交換器によって構成されている。
【００３２】
〈空気調和機の運転動作〉
空気調和機（10）は、冷房運転と暖房運転を選択的に行う。
【００３３】
冷房運転中の冷媒回路（20）では、四方切換弁（22）を第１状態に設定した状態で、冷凍サイクルが行われる。この状態では、室外熱交換器（23）、膨張弁（24）、室内熱交換器（25）の順に冷媒が循環し、室外熱交換器（23）が凝縮器として機能し、室内熱交換器（25）が蒸発器として機能する。室外熱交換器（23）では、圧縮機（21）から流入したガス冷媒が室外空気へ放熱して凝縮し、凝縮後の冷媒が膨張弁（24）へ向けて流出してゆく。
【００３４】
暖房運転中の冷媒回路（20）では、四方切換弁（22）を第２状態に設定した状態で、冷凍サイクルが行われる。この状態では、室内熱交換器（25）、膨張弁（24）、室外熱交換器（23）の順に冷媒が循環し、室内熱交換器（25）が凝縮器として機能し、室外熱交換器（23）が蒸発器として機能する。室外熱交換器（23）には、膨張弁（24）を通過する際に膨張して気液二相状態となった冷媒が流入する。室外熱交換器（23）へ流入した冷媒は、室外空気から吸熱して蒸発し、その後に圧縮機（21）へ向けて流出してゆく。
【００３５】
−室外熱交換器−
室外熱交換器（23）について、図２〜図１０を適宜参照しながら説明する。なお、以下の説明に示す扁平管（31）の本数、各扁平管（31）に形成された流体通路（34）の数、及び室外熱交換器（23）に形成された熱交換部の数は、いずれも単なる一例である。
【００３６】
〈室外熱交換器の構成〉
図２及び図３に示すように、室外熱交換器（23）は、一つの第１ヘッダ集合管（60）と、一つの第２ヘッダ集合管（70）と、多数の扁平管（31）と、多数のフィン（40）とを備えている。第１ヘッダ集合管（60）、第２ヘッダ集合管（70）、扁平管（31）及びフィン（40）は、何れもアルミニウム合金製の部材であって、互いにロウ付けによって接合されている。
【００３７】
第１ヘッダ集合管（60）と第２ヘッダ集合管（70）は、何れも両端が閉塞された細長い円筒状に形成されている。図２及び図３において、第１ヘッダ集合管（60）は室外熱交換器（23）の左端に、第２ヘッダ集合管（70）は室外熱交換器（23）の右端に、それぞれ起立した状態で設置されている。つまり、第１ヘッダ集合管（60）及び第２ヘッダ集合管（70）は、それぞれの軸方向が上下方向となる状態で設置されている。
【００３８】
図４に示すように、扁平管（31）は、その断面形状が扁平な長円形となった伝熱管である。図３に示すように、室外熱交換器（23）において、複数の扁平管（31）は、その伸長方向が左右方向となっている。また、複数の扁平管（31）は、互いの板面同士が対向するように一定の間隔をあけて上下に並んで配置され、それぞれの軸方向が互いに実質的に平行となっている。
【００３９】
図３に示すように、各扁平管（31）は、その一端が第１ヘッダ集合管（60）に挿入され、その他端が第２ヘッダ集合管（70）に挿入されている。各扁平管（31）の軸方向は、第１ヘッダ集合管（60）及び第２ヘッダ集合管（70）の軸方向と実質的に直交している。また、各扁平管（31）の板面（本実施形態では、上面と下面）は、第１ヘッダ集合管（60）及び第２ヘッダ集合管（70）の軸方向と実質的に直交している。
【００４０】
図４に示すように、フィン（40）は、金属板をプレス加工することによって形成された縦長の板状フィンである。フィン（40）には、フィン（40）の前縁（すなわち、風上側の縁部）からフィン（40）の幅方向に延びる細長い切り欠き部（45）が、多数形成されている。フィン（40）では、多数の切り欠き部（45）が、フィン（40）の長手方向（上下方向）に一定の間隔で形成されている。切り欠き部（45）の風下寄りの部分は、管挿入部（46）を構成している。管挿入部（46）は、上下方向の幅が扁平管（31）の厚さと実質的に等しく、長さが扁平管（31）の幅と実質的に等しい。扁平管（31）は、フィン（40）の管挿入部（46）に挿入され、管挿入部（46）の周縁部とロウ付けによって接合される。また、フィン（40）には、伝熱を促進するためのルーバー（41）が形成されている。そして、複数のフィン（40）は、扁平管（31）の伸長方向に配列されることで、隣り合う扁平管（31）の間を空気が流れる複数の通風路に区画している。
【００４１】
図４及び図１０に示すように、各扁平管（31）には、複数の流体通路（34）が形成されている。各流体通路（34）は、扁平管（31）の軸方向に延びる通路であって、扁平管（31）の両方の端面に開口している。各扁平管（31）において、複数の流体通路（34）は、扁平管（31）の幅方向（すなわち、扁平管（31）の軸方向と直交する方向）に一列に並んでいる。各扁平管（31）に形成された複数の流体通路（34）は、それぞれの一端が第１ヘッダ集合管（60）の内部空間に連通し、それぞれの他端が第２ヘッダ集合管（70）の内部空間に連通している。
【００４２】
図６に示すように、第１ヘッダ集合管（60）の内部空間には、縦仕切板（63）が配置されている。縦仕切板（63）は、第１ヘッダ集合管（60）の下端から上端に亘って延びる板状の部材である。なお、図６では、扁平管（31）の流体通路（34）の図示を省略している。図５に示すように、縦仕切板（63）は、各扁平管（31）の端面と直交する姿勢で設置され、第１ヘッダ集合管（60）の内部空間を風上側空間（65）と風下側空間（69）に仕切っている。
【００４３】
図８及び図９に示すように、縦仕切板（63）は、扁平管（31）の幅方向の中心線及び第１ヘッダ集合管（60）の中心軸よりも室外熱交換器（23）の前面側（すなわち、風上側）に位置している。なお、図８及び図９では、フィン（40）の図示を省略している。
【００４４】
図１０に示すように、各扁平管（31）に形成された２４本の流体通路（34）は、縦仕切板（63）よりも室外熱交換器（23）の前面側（すなわち、風上側）に位置する１０本の流体通路（34）が風上側通路（35）となり、縦仕切板（63）よりも室外熱交換器（23）の背面側（すなわち、風下側）に位置する残りの１４本の流体通路（34）が風下側通路（36）となる。各扁平管（31）の風上側通路（35）は、第１ヘッダ集合管（60）の風上側空間（65）に連通する。各扁平管（31）の風下側通路（36）は、第１ヘッダ集合管（60）の風下側空間（69）に連通する。
【００４５】
図６に示すように、第１ヘッダ集合管（60）の風上側空間（65）には、第１横仕切板（61）及び第２横仕切板（62）が配置されている。第１横仕切板（61）は風上側空間（65）の下寄りに配置され、第２横仕切板（62）は風上側空間（65）の上寄りに配置される。第１横仕切板（61）及び第２横仕切板（62）は、上下に隣り合う２本の扁平管（31）の間にそれぞれ配置される。
【００４６】
第１ヘッダ集合管（60）の風上側空間（65）は、第１横仕切板（61）及び第２横仕切板（62）によって、第１風上側部分空間（66）、第２風上側部分空間（67）、及び第３風上側部分空間（68）の三つの空間に仕切られている。
【００４７】
具体的に、第１ヘッダ集合管（60）の風上側空間（65）は、第１横仕切板（61）よりも下側の部分が第１風上側部分空間（66）となり、第１横仕切板（61）と第２横仕切板（62）の間の部分が第２風上側部分空間（67）となり、第２横仕切板（62）よりも上側の部分が第３風上側部分空間（68）となる。本実施形態の室外熱交換器（23）では、第１風上側部分空間（66）、第２風上側部分空間（67）、及び第３風上側部分空間（68）に連通する扁平管（31）の本数が互いに等しい。
【００４８】
図７に示すように、第２ヘッダ集合管（70）の接続用空間（75）には、第１横仕切板（71）及び第２横仕切板（72）が配置されている。第１横仕切板（71）は接続用空間（75）の下寄りに配置され、第２横仕切板（72）は接続用空間（75）の上寄りに配置される。第１横仕切板（71）及び第２横仕切板（72）は、上下に隣り合う２本の扁平管（31）の間にそれぞれ配置される。なお、図７では、扁平管（31）の流体通路（34）の図示を省略している。
【００４９】
第２ヘッダ集合管（70）の接続用空間（75）は、第１横仕切板（71）及び第２横仕切板（72）によって、第１接続用部分空間（76）、第２接続用部分空間（77）、及び第３接続用部分空間（78）の三つの空間に仕切られている。
【００５０】
具体的に、第２ヘッダ集合管（70）の接続用空間（75）は、第１横仕切板（71）よりも下側の部分が第１接続用部分空間（76）となり、第１横仕切板（71）と第２横仕切板（72）の間の部分が第２接続用部分空間（77）となり、第２横仕切板（72）よりも上側の部分が第３接続用部分空間（78）となる。本実施形態の室外熱交換器（23）では、第１接続用部分空間（76）、第２接続用部分空間（77）、及び第３接続用部分空間（78）に連通する扁平管（31）の本数が互いに等しい。
【００５１】
図２及び図３に示すように、室外熱交換器（23）は、第１熱交換部（51）、第２熱交換部（52）、及び第３熱交換部（53）の三つに区分されている。具体的に、第１ヘッダ集合管（60）の第１風上側部分空間（66）と第２ヘッダ集合管（70）の第１接続用部分空間（76）とに連通する扁平管（31）が第１熱交換部（51）を構成し、第１ヘッダ集合管（60）の第２風上側部分空間（67）と第２ヘッダ集合管（70）の第２接続用部分空間（77）とに連通する扁平管（31）が第２熱交換部（52）を構成し、第１ヘッダ集合管（60）の第３風上側部分空間（68）と第２ヘッダ集合管（70）の第３接続用部分空間（78）とに連通する扁平管（31）が第３熱交換部（53）を構成する。
【００５２】
図２に示すように、室外熱交換器（23）には、液側接続部材（80）とガス側接続管（85）とが設けられている。液側接続部材（80）及びガス側接続管（85）は、第１ヘッダ集合管（60）に取り付けられている。
【００５３】
液側接続部材（80）は、一つの分流器（81）と、三本の第１細径管（82a）、第２細径管（82b）、及び第３細径管（82c）とを備えている。分流器（81）の下端部には、室外熱交換器（23）と膨張弁（24）を繋ぐ配管（17）が接続されている。分流器（81）の上端部には、第１細径管（82a）、第２細径管（82b）、及び第３細径管（82c）の一端が接続されている。第１細径管（82a）、第２細径管（82b）、及び第３細径管（82c）の他端は、第１ヘッダ集合管（60）に接続され、対応する第１風上側部分空間（66）、第２風上側部分空間（67）、及び第３風上側部分空間（68）に連通している。
【００５４】
このように、液側接続部材（80）が第１風上側部分空間（66）、第２風上側部分空間（67）、及び第３風上側部分空間（68）に連通しているので、風上側通路（35）は、液冷媒が通過する液側通路となる。
【００５５】
図３にも示すように、第１細径管（82a）は第１風上側部分空間（66）の下端寄りの部分に開口し、第２細径管（82b）は第２風上側部分空間（67）の下端寄りの部分に開口し、第３細径管（82c）は第３風上側部分空間（68）の下端寄りの部分に開口している。なお、第１細径管（82a）、第２細径管（82b）、及び第３細径管（82c）の長さは、第１熱交換部（51）、第２熱交換部（52）、及び第３熱交換部（53）へ流入する冷媒の流量の差がなるべく小さくなるように、個別に設定されている。
【００５６】
ガス側接続管（85）の一端は、第１ヘッダ集合管（60）の上下方向の中央部に接続され、風下側空間（69）に連通している。ガス側接続管（85）の他端は、室外熱交換器（23）と四方切換弁（22）の第３のポートを繋ぐ配管（18）に接続されている。
【００５７】
このように、ガス側接続管（85）が風下側空間（69）に連通しているので、風下側通路（36）は、ガス冷媒が通過するガス側通路となる。
【００５８】
〈室外熱交換器における冷媒と空気の熱交換／凝縮器の場合〉
空気調和機（10）の冷房運転中には、室外熱交換器（23）が凝縮器として機能する。
【００５９】
凝縮器として機能する室外熱交換器（23）には、圧縮機（21）から吐出されたガス冷媒が供給される。圧縮機（21）から送られたガス冷媒は、ガス側接続管（85）を介して第１ヘッダ集合管（60）の風下側空間（69）へ流入する。風下側空間（69）へ流入したガス冷媒は、第１熱交換部（51）、第２熱交換部（52）、及び第３熱交換部（53）の扁平管（31）の風下側通路（36）へ分配される。風下側空間（69）へ流入する冷媒は、実質的にガス単相状態である。このため、異なる高さに配置された複数の扁平管（31）に対して、ガス冷媒が概ね均等に分配される。
【００６０】
各扁平管（31）の風下側通路（36）へ流入したガス冷媒は、風下側通路（36）を流れる間に室外空気へ放熱してその一部が凝縮し、気液二相状態となって第２ヘッダ集合管（70）の接続用空間（75）へ流入する。その際、第１熱交換部（51）を構成する扁平管（31）の風下側通路（36）を通過した冷媒は第１接続用部分空間（76）へ流入し、第２熱交換部（52）を構成する扁平管（31）の風下側通路（36）を通過した冷媒は第２接続用部分空間（77）へ流入し、第３熱交換部（53）を構成する扁平管（31）の風下側通路（36）を通過した冷媒は第３接続用部分空間（78）へ流入する。
【００６１】
第１接続用部分空間（76）の冷媒は、第１熱交換部（51）を構成する扁平管（31）の風上側通路（35）へ流入し、第２接続用部分空間（77）の冷媒は、第２熱交換部（52）を構成する扁平管（31）の風上側通路（35）へ流入し、第３接続用部分空間（78）の冷媒は、第３熱交換部（53）を構成する扁平管（31）の風上側通路（35）へ流入する。
【００６２】
ここで、第２ヘッダ集合管（70）の第１接続用部分空間（76）、第２接続用部分空間（77）、及び第３接続用部分空間（78）へは、気液二相状態の冷媒が流入する。第２ヘッダ集合管（70）は起立状態となっているため、第１接続用部分空間（76）、第２接続用部分空間（77）、及び第３接続用部分空間（78）では、下寄りの部分ほど液冷媒の割合が多くなり、上寄りの部分ほどガス冷媒の割合が多くなる。しかし、第１接続用部分空間（76）、第２接続用部分空間（77）、及び第３接続用部分空間（78）の高さは、第２ヘッダ集合管（70）の高さの約１／３である。このため、第１接続用部分空間（76）、第２接続用部分空間（77）、及び第３接続用部分空間（78）の上部と下部における冷媒の湿り度の差はそれほど大きくならず、従って、第１接続用部分空間（76）、第２接続用部分空間（77）、及び第３接続用部分空間（78）に連通する扁平管（31）へ流入する冷媒の質量流量のばらつきが抑えられる。
【００６３】
第２ヘッダ集合管（70）の第１接続用部分空間（76）、第２接続用部分空間（77）、及び第３接続用部分空間（78）から扁平管（31）の風上側通路（35）へ流入した冷媒は、風上側通路（35）を流れる間に室外空気へ放熱し、そこに含まれるガス冷媒が凝縮する。扁平管（31）の風上側通路（35）の出口において、冷媒は、実質的に液単相状態となる。
【００６４】
第１熱交換部（51）の扁平管（31）の風上側通路（35）を通過した冷媒は、第１風上側部分空間（66）へ流入し、第２熱交換部（52）の扁平管（31）の風上側通路（35）を通過した冷媒は、第２風上側部分空間（67）へ流入し、第３熱交換部（53）の扁平管（31）の風上側通路（35）を通過した冷媒は、第３風上側部分空間（68）へ流入する。
【００６５】
第１ヘッダ集合管（60）の第１風上側部分空間（66）、第２風上側部分空間（67）、及び第３風上側部分空間（68）へ流入した冷媒は、第１細径管（82a）、第２細径管（82b）、及び第３細径管（82c）を通って分流器（81）へ流入した後で合流して、室外熱交換器（23）から流出してゆく。
【００６６】
ところで、冷媒が扁平管（31）の風下側通路（36）と風上側通路（35）を順に通過する過程では、冷媒の圧力が徐々に低下してゆく。このため、各扁平管（31）では、風下側通路（36）を流れる冷媒の温度が、風上側通路（35）を流れる冷媒の温度よりも若干低くなる。つまり、各扁平管（31）では、風下側通路（36）を流れる冷媒の温度が、風上側通路（35）を流れる冷媒の温度よりも若干高くなる。一方、凝縮器として機能する室外熱交換器（23）では、そこを通過する室外空気の温度が次第に上昇する。
【００６７】
このように、凝縮器として機能する室外熱交換器（23）では、扁平管（31）の風上側通路（35）を流れる冷媒との熱交換によって温度が上昇した空気が、扁平管（31）の風下側通路（36）を流れる冷媒（すなわち、風上側通路（35）を流れる冷媒よりも温度が若干高い冷媒）と熱交換する。従って、凝縮器として機能する室外熱交換器（23）では、冷媒が各扁平管（31）の風下側通路（36）から風上側通路（35）へ流れる場合の方が、冷媒が各扁平管（31）の風上側通路（35）から風下側通路（36）へ流れる場合に比べて、冷媒と空気の温度差の変化が抑えられる。
【００６８】
〈室外熱交換器における冷媒と空気の熱交換／蒸発器の場合〉
空気調和機（10）の暖房運転中には、室外熱交換器（23）が蒸発器として機能する。
【００６９】
蒸発器として機能する室外熱交換器（23）には、膨張弁（24）を通過する際に膨張して気液二相状態となった冷媒が供給される。膨張弁（24）から送られた冷媒は、液側接続部材（80）の分流器（81）へ流入した後に第１細径管（82a）、第２細径管（82b）、及び第３細径管（82c）へ分かれて流入し、第１熱交換部（51）、第２熱交換部（52）、及び第３熱交換部（53）へ分配される。
【００７０】
具体的に、分流器（81）から第１細径管（82a）、第２細径管（82b）、及び第３細径管（82c）へ流入した冷媒は、対応する第１ヘッダ集合管（60）の第１風上側部分空間（66）、第２風上側部分空間（67）、及び第３風上側部分空間（68）へ流入する。
【００７１】
第１風上側部分空間（66）の冷媒は、第１熱交換部（51）を構成する扁平管（31）の風上側通路（35）へ流入し、第２風上側部分空間（67）の冷媒は、第２熱交換部（52）を構成する扁平管（31）の風上側通路（35）へ流入し、第３風上側部分空間（68）の冷媒は、第３熱交換部（53）を構成する扁平管（31）の風上側通路（35）へ流入する。
【００７２】
ここで、第１ヘッダ集合管（60）の第１風上側部分空間（66）、第２風上側部分空間（67）、及び第３風上側部分空間（68）へは、気液二相状態の冷媒が流入する。第１ヘッダ集合管（60）は起立状態となっているため、第１風上側部分空間（66）、第２風上側部分空間（67）、及び第３風上側部分空間（68）では、下寄りの部分ほど液冷媒の割合が多くなり、上寄りの部分ほどガス冷媒の割合が多くなる。しかし、第１風上側部分空間（66）、第２風上側部分空間（67）、及び第３風上側部分空間（68）の高さは、第１ヘッダ集合管（60）の高さの約１／３である。このため、第１風上側部分空間（66）、第２風上側部分空間（67）、及び第３風上側部分空間（68）の上部と下部における冷媒の湿り度の差はそれほど大きくならず、従って、第１風上側部分空間（66）、第２風上側部分空間（67）、及び第３風上側部分空間（68）に連通する扁平管（31）へ流入する冷媒の質量流量のばらつきが抑えられる。
【００７３】
第１ヘッダ集合管（60）の第１風上側部分空間（66）、第２風上側部分空間（67）、及び第３風上側部分空間（68）から扁平管（31）の風上側通路（35）へ流入した冷媒は、風上側通路（35）を流れる間に室外空気から吸熱し、そこに含まれる液冷媒が蒸発する。扁平管（31）の風上側通路（35）の出口において、冷媒は、依然として気液二相状態である。
【００７４】
第１熱交換部（51）の扁平管（31）の風上側通路（35）を通過した冷媒は、第１接続用部分空間（76）へ流入し、第２熱交換部（52）の扁平管（31）の風上側通路（35）を通過した冷媒は、第２接続用部分空間（77）へ流入し、第３熱交換部（53）の扁平管（31）の風上側通路（35）を通過した冷媒は、第３接続用部分空間（78）へ流入する。
【００７５】
第１接続用部分空間（76）の冷媒は、第１熱交換部（51）を構成する扁平管（31）の風下側通路（36）へ流入し、第２接続用部分空間（77）の冷媒は、第２熱交換部（52）を構成する扁平管（31）の風下側通路（36）へ流入し、第３接続用部分空間（78）の冷媒は、第３熱交換部（53）を構成する扁平管（31）の風下側通路（36）へ流入する。
【００７６】
ここで、蒸発器として機能する室外熱交換器（23）では、室外熱交換器（23）が凝縮器として機能する場合と同様に、第２ヘッダ集合管（70）の第１接続用部分空間（76）、第２接続用部分空間（77）、及び第３接続用部分空間（78）へ気液二相状態の冷媒が流入する。従って、室外熱交換器（23）が蒸発器として機能する場合も、室外熱交換器（23）が凝縮器として機能する場合と同様に、第１接続用部分空間（76）、第２接続用部分空間（77）、及び第３接続用部分空間（78）に連通する扁平管（31）へ流入する冷媒の質量流量のばらつきが抑えられる。
【００７７】
第２ヘッダ集合管（70）の第１接続用部分空間（76）、第２接続用部分空間（77）、及び第３接続用部分空間（78）から扁平管（31）の風下側通路（36）へ流入した冷媒は、風下側通路（36）を流れる間に室外空気から吸熱し、そこに含まれる液冷媒が蒸発する。扁平管（31）の風下側通路（36）の出口において、冷媒は、実質的にガス単相状態となる。
【００７８】
第１熱交換部（51）、第２熱交換部（52）、及び第３熱交換部（53）の扁平管（31）の風下側通路（36）を通過した冷媒は、第１ヘッダ集合管（60）の風下側空間（69）へ流れ込んで合流し、その後にガス側接続管（85）を通って室外熱交換器（23）から流出してゆく。
【００７９】
ところで、冷媒が扁平管（31）の風上側通路（35）と風下側通路（36）を順に通過する過程では、冷媒の圧力が徐々に低下してゆく。このため、各扁平管（31）では、風上側通路（35）を流れる冷媒の温度が、風下側通路（36）を流れる冷媒の温度よりも若干低くなる。一方、蒸発器として機能する室外熱交換器（23）では、そこを通過する室外空気の温度が次第に低下する。
【００８０】
このように、蒸発器として機能する室外熱交換器（23）では、扁平管（31）の風上側通路（35）を流れる冷媒との熱交換によって温度が低下した空気が、扁平管（31）の風下側通路（36）を流れる冷媒（すなわち、風上側通路（35）を流れる冷媒よりも温度が若干低い冷媒）と熱交換する。従って、蒸発器として機能する室外熱交換器（23）では、冷媒が各扁平管（31）の風上側通路（35）から風下側通路（36）へ流れる場合の方が、冷媒が各扁平管（31）の風下側通路（36）から風上側通路（35）へ流れる場合に比べて、冷媒と空気の温度差の変化が抑えられる。
【００８１】
−実施形態の効果−
本実施形態の室外熱交換器（23）によれば、各扁平管（31）における冷媒の湿り度の差を小さくして、液冷媒の存在に起因する冷媒の偏流を抑えることができる。具体的に、第２ヘッダ集合管（70）の接続用空間（75）が第１接続用部分空間（76）、第２接続用部分空間（77）、及び第３接続用部分空間（78）に仕切られているので、１つの接続用部分空間の高さが第１ヘッダ集合管（60）の高さよりも低くなっている。このため、第１熱交換部（51）、第２熱交換部（52）、及び第３熱交換部（53）の上部と下部における冷媒の湿り度の差がそれほど大きくならず、第１熱交換部（51）、第２熱交換部（52）、及び第３熱交換部（53）の風上側通路（35）へ流入する冷媒の質量流量のばらつきが抑えられる。
【００８２】
また、室外熱交換器（23）が蒸発器として機能する場合と凝縮器として機能する場合の両方において、室外熱交換器（23）における冷媒と空気の温度差の変化を抑えることができる。従って、室外熱交換器（23）を流れる冷媒と空気の間で授受される熱量の増大を図ることができ、室外熱交換器（23）の性能を充分に発揮させることが可能となる。
【００８３】
《その他の実施形態》
前記実施形態については、以下のような構成としてもよい。
【００８４】
本実施形態の室外熱交換器（23）の各扁平管（31）では、風上側通路（35）の本数が風下側通路（36）の本数より少ない形態について説明したが、風上側通路（35）の本数が風下側通路（36）の本数と同数であっても構わないし、風上側通路（35）の本数が風下側通路（36）の本数より多くても構わない。
【００８５】
また、本実施形態の室外熱交換器（23）には、平板状のフィン（40）に代えてコルゲートフィンが設けられていてもよい。コルゲートフィンは、扁平管（31）の配列方向（図３に示す前記実施形態の室外熱交換器（23）では上下方向）に蛇行する波板状に形成されている。コルゲートフィンは、上下に隣り合う扁平管（31）の間に配置され、扁平管（31）の側面のうち平坦な部分にロウ付け等によって接合される。
【００８６】
また、本実施形態では、第２ヘッダ集合管（70）の接続用空間（75）は、第１横仕切板（71）及び第２横仕切板（72）によって、第１接続用部分空間（76）、第２接続用部分空間（77）、及び第３接続用部分空間（78）の三つの空間に仕切られているが、この形態に限定するものではない。
【００８７】
具体的に、熱交換器（23）が蒸発器として機能する場合には、冷媒回路（20）から流入する液冷媒を第１熱交換部（51）、第２熱交換部（52）、及び第３熱交換部（53）の風上側通路（35）へ分流できればよい。つまり、第１ヘッダ集合管（60）の風上側空間（65）を第１風上側部分空間（66）、第２風上側部分空間（67）、及び第３風上側部分空間（68）の三つの空間に仕切る一方、図１１に示すように、第２ヘッダ集合管（70）の接続用空間（75）は特に仕切ることなく、全ての前記扁平管（31）の風上側通路（35）及び風下側通路（36）に連通させた構成としてもよい。
【００８８】
また、図１２に示すように、第１横仕切板（71）及び第２横仕切板（72）の幅方向の長さを短くすることで、第２ヘッダ集合管（70）の接続用空間（75）の風上側のみを第１接続用部分空間（76）、第２接続用部分空間（77）、及び第３接続用部分空間（78）の三つの空間に仕切るようにしてもよい。
【産業上の利用可能性】
【００８９】
以上説明したように、本発明は、扁平管内を流れる流体と空気を熱交換させる熱交換器について有用である。
【符号の説明】
【００９０】
10    空気調和機（冷凍装置）
20    冷媒回路
23    室外熱交換器（熱交換器）
31    扁平管
34    流体通路
35    風上側通路（液側通路）
36    風下側通路（ガス側通路）
51    第１熱交換部
52    第２熱交換部
53    第３熱交換部
60    第１ヘッダ集合管
65    風上側空間（液側空間）
66    第１風上側部分空間（液側部分空間）
67    第２風上側部分空間（液側部分空間）
68    第３風上側部分空間（液側部分空間）
69    風下側空間（ガス側空間）
70    第２ヘッダ集合管
75    接続用空間
76    第１接続用部分空間
77    第２接続用部分空間
78    第３接続用部分空間
【図１】
2014137172.tif 000003
【図２】
2014137172.tif 000004
【図３】
2014137172.tif 000005
【図４】
2014137172.tif 000006
【図５】
2014137172.tif 000007
【図６】
2014137172.tif 000008
【図７】
2014137172.tif 000009
【図８】
2014137172.tif 000010
【図９】
2014137172.tif 000011
【図１０】
2014137172.tif 000012
【図１１】
2014137172.tif 000013
【図１２】
2014137172.tif 000014